(57)【特許請求の範囲】
【請求項１】
吸込口から吹出口に到る風路内に設けられたファンの下流に位置して、前記風路を覆うように設けられるファンガードの取付構造であって、
前記風路の下流側の上部に設けられ、前記ファンガードの幅方向両端部の上部に形成された第１の係止部を係止する第１のフックと、
前記風路の下流側の下部に設けられ、前記ファンガードの幅方向両端部の下部に形成された第２の係止部を係止する第２のリブと、
前記風路の下流側の上部に前記吹出口の幅方向に沿って設けられ、前記ファンガードの上端部が挿入される嵌合溝と、
を備え、
前記嵌合溝の内部には、
当該嵌合溝の幅方向に所定の間隔を置いて設けられ、前記ファンガードが前後に動くのを阻止する第１のリブを備えた
ことを特徴とするファンガードの取付構造。
【請求項２】
前記風路の下流側には前記吹出口を形成するノズルが設けられ、該ノズルの上部壁に前記嵌合溝と前記第１のリブが設けられると共に、前記ノズルの両側壁に前記第２のリブが設けられた
ことを特徴とする請求項１記載のファンガードの取付構造。
【請求項３】
前記ファンガードが複数の横桟を有し、前記風路の下流側の中央下部に設けられ、前記ファンガードの横桟を係止する第２のフックを備えた
ことを特徴とする請求項１又は２に記載のファンガードの取付構造。
【請求項４】
前記ファンガードと前記風路の下部との間に隙間が設けられた
ことを特徴とする請求項１〜３のいずれかに記載のファンガードの取付構造。
【請求項５】
吸込口が上部に、吹出口が下部に設けられたパネル内で、前記吸込口から前記吹出口に到る風路の前記吸込口の下流側に配置された熱交換器と、
この熱交換器の下流側に配置され、前記吸込口から空気を吸い込み、前記熱交換器で熱交換された前記空気を前記吹出口から送り出すファンと、
このファンの下流に位置して前記風路を覆うように設けられたファンカードと、
請求項１〜４のいずれかに記載のファンガードの取付構造と、
を備えたことを特徴とする空気調和機。
【発明の詳細な説明】
【技術分野】
【０００１】
本発明は、ファンガード取付構造、及びファンガード取付構造を備えた空気調和機に関するものである。
【背景技術】
【０００２】
空気調和機の室内機の吹出し口に設けたファンガード取付構造では、ファンガードを吹出し口に固定するために別部材が必要であった（例えば、特許文献１参照）。
【０００３】
【特許文献１】特開平８−２２６６９８号公報（第４−５頁、図２）
【発明の開示】
【発明が解決しようとする課題】
【０００４】
従来の空気調和機の室内機のファンガード取付構造では、ファンガードを吹出し口に固定するために別部材が必要であったため、ファンガードの取付作業が複雑になり、部品点数が増加して材料費や加工費なども増加し、高価なものとなっていた。また、ファンガードを固定するための別部材が吹出し口の風路内にあるため、風路抵抗が生じ、吹出し風量が低下してしまうという問題があった。
【０００５】
本発明は上記のような課題を解決するためになされたもので、取付作業を簡素化し、材料費、加工費などを抑えた、安価なファンガード取付構造及びファンガード取付構造を備えた空気調和機を得ることを目的とする。
また、吹出し風路内の風路抵抗を減らし吹出し風量を増加するファンガード取付構造及びファンガード取付構造を備えた空気調和機を得ることを目的とする。
【課題を解決するための手段】
【０００６】
本発明に係るファンガードの取付構造、及びファンガード取付構造を備えた空気調和機は、吸込口から吹出口に到る風路内に設けられたファンの下流に位置して、風路を覆うように設けられるファンガードの取付構造であって、風路の下流側の上部に設けられ、ファンガードの幅方向両端部の上部に形成された第１の係止部を係止する第１のフックと、風路の下流側の下部に設けられ、ファンガードの幅方向両端部の下部に形成された第２の係止部を係止する第２のリブと、風路の下流側の上部に吹出口の幅方向に沿って設けられ、ファンガードの上端部が挿入される嵌合溝と、を備え、嵌合溝の内部には、当該嵌合溝の幅方向に所定の間隔を置いて設けられ、ファンガードが前後に動くのを阻止する第１のリブを備えたものである。
【発明の効果】
【０００７】
本発明に係るファンガードの取付構造、及びファンガード取付構造を備えた空気調和機は、吸込口から吹出口に到る風路内に設けられたファンの下流に位置して、風路を覆うように設けられるファンガードの取付構造であって、風路の下流側の上部に設けられ、ファンガードの幅方向両端部の上部に形成された第１の係止部を係止する第１のフックと、風路の下流側の下部に設けられ、ファンガードの幅方向両端部の下部に形成された第２の係止部を係止する第２のリブと、風路の下流側の上部に吹出口の幅方向に沿って設けられ、ファンガードの上端部が挿入される嵌合溝と、を備え、嵌合溝の内部には、当該嵌合溝の幅方向に所定の間隔を置いて設けられ、ファンガードが前後に動くのを阻止する第１のリブを備えたので、ファンガードを固定するための別部材が不要となり、ファンガードの取付作業が簡素化され、材料費、加工費を抑えることができ、安価となる。
また、ファンガードの一端を、例えば風路下流端に設けたノズルの上流端近傍の上部に設けた溝に保持させるようにしたので、吹出し風路内の風路抵抗を減らし、吹出し風量を増加することができる。
【発明を実施するための最良の形態】
【０００８】
実施の形態．
図１は本発明にかかる空気調和機の室内機の斜視図、図２は図１の縦断面図、図３は図２の要部の拡大図、図４、図５はそれぞれ図１に示すファンガード取付構造の要部の斜視図、図６は図１に示すファンガードの斜視図、図７は図１に示すファンガードを風路中央下部において固定する場合のファンガード取付構造の要部の斜視図である。
図において、空気調和機の室内機１はパネル２で覆われ、パネル２の上部には空気の吸込口３が設けられており、パネル２の下部には空気の吹出口４が設けられて、これらの間に吸込口３から吹出口４に到る風路７が形成されている。
空気の吸込口３の下流側には熱交換器５が設けられており、その下流側にはファン６が設けられ、ファン６の下流に位置する吹出し風路７ａの下流側には吹出口４を形成するノズル８が設けられている。
【０００９】
ノズル８の上面壁８ａの上流端にはパネル２の幅方向に沿って溝９が形成され、その内部には幅方向に所定の間隔を置いて第１のリブ１０が設けられている。また、ノズル８の上部壁８ａの幅方向の両端部とその中央部には第１のフック１１が設けられており、さらに、ノズル８の両側壁８ｂにはほぼ三角形状をなす第２のリブ１２が設けられている。また、風路中央部のベーンサポート１３の下部にはフック１５が設けられている。
【００１０】
吹出し風路７ａの下流端近傍には吹出し風路７ａを覆うようにしてファンガード２０が取り付けられ、ここから指などを入れてファン６に触れ、怪我をすることがないようにしてある。ファンガード２０は横桟２０ａ、この横桟２０ａと直交して横桟２０ａを同一ピッチで保持する縦桟２０ｂによって構成されている。ファンガード２０の上端部は溝９に挿入できるようになっており、第１のリブ１０によってファンガード２０が前後に動くのを規制している。
【００１１】
ファンガード２０の上部端の幅方向の左右端と中央部にはほぼロ状に形成した第１の係止部２２が設けられ、この第１の係止部２２をノズル８の第１のフック１１に係止して、ファンガード２０を取付けるようにしてある。また、ファンガード２０の下端部の幅方向の左右端には同方向（上流側）に斜めに折り曲げられたロ状の第２の係止部２３が設けられ、この第２の係止部２３がノズル８に設けた第２のリブ１２の隙間に係止することで固定されるようになっている。さらに、ファンガード２０の幅方向中央部の上方にはほぼコ字状に開口した開口部２４を設けてあり、この開口部２４の横桟２０ａが第２のフック１５に係止するようになっている。
なお、ファンガード２０と吹出し風路７ａの下壁１６の間には、所定の幅で隙間１７が設けられている。
【００１２】
上記のように構成した空気調和機の室内機１を組立てるには、ファンガード２０の上端部をノズル８に設けた溝９に挿入し、ファンガード２０の第１の係止部２２をノズル８の第１のフック１１に係止し、溝９内に設けられた第１のリブ１０によってファンガード２０の前後の移動を阻止するようにする。
さらに、ファンガード２０の下部端に設けられた第２の係止部２３を、ノズル８の風路壁８ａに設けた第２のリブ１２の隙間に係止させて固定する。この第２のリブ１２の形状は三角形をしているため、ファンガード２０を第２のリブ１２の隙間に挿入する際、斜面をすべるようにして動くため、容易に固定することができる。
次に、ファンガード２０の開口部２４の下側に位置する横桟２０ａを、第２のフック１５に固定する。
【００１３】
次に、上記のようにして組み立てた空気調和機の室内機１の動作を説明する。空気調和機の室内機１のパネル２の上部から吸い込まれた空気は、風路７に入り、熱交換器５を通過し、ここで熱交換が行われる。熱交換された空気は、その後、ファン６の回転によって、吹出し風路７ａを経由して、吹出し口４から外部に送り出される。
【００１４】
以上のように、本実施の形態によれば、ファンガード２０の上部端がノズル８の溝９に固定され、下部端は幅方向の両端部においてノズル８の両側壁８ｂに固定されるため、別部材を用いることなくファンガード２０を取り付けることができる。また、別部材を使用せずにファンガード２０をノズル８の溝９に挿入することができるため、風路７内に風路抵抗となるものがなく、このため吹出し風量を増加することができる。
また、風路中央のベーンサポート１３の下部に第２のフック１５を設け、ファンガード２０の幅方向の中央下部をフック１５によって固定するので、風路幅が広い場合にもファンガード２０がたわむことがなく、ファンガード２０が外れるのを防止することができる。
【００１５】
また、ファンガード２０と吹出し風路７ａの下壁１６の間に所定の幅の隙間１７を設けた場合は、吹出し風路７ａの下壁１６とファンガード２０の当たりによるビビリ音の発生を防ぐことができ、さらに、ファンガード２０への２次空気の進入による着露を防ぐことができる。
【図面の簡単な説明】
【００１６】
【図１】本発明に係る空気調和機の室内機を示す斜視図である。
【図２】図１の縦断面図である。
【図３】図２の要部の拡大図である。
【図４】図１のファンガードの取付構造の要部の斜視図である。
【図５】図１のファンガードの取付構造の要部の斜視図である。
【図６】図１のファンカードを示す斜視図である。
【図７】図１のファンガードを風路中央下部において固定する場合のファンガードの取付構造を示す要部の斜視図である。
【符号の説明】
【００１７】
１  空気調和機の室内機、２  パネル、４  吹出し口、５  熱交換器、６  ファン、７  風路、７ａ  吹出し風路、８  ノズル、９  溝、１０  第１のリブ、１１  第１のフック、１２  第２のリブ、１３  ベーンサポート、１５  第２のフック、１７  隙間、２０  ファンガード、２２  第１の係止部、２３  第２の係止部。
【図１】
0004698384.tif 000002
【図２】
0004698384.tif 000003
【図３】
0004698384.tif 000004
【図４】
0004698384.tif 000005
【図５】
0004698384.tif 000006
【図６】
0004698384.tif 000007
【図７】
0004698384.tif 000008